(57)【要約】【課題】多数のＰＣで一台の画像機器を共有利用する場合に、当該画像機器のアプリケーションをインストールする手間を簡単にし、機器の使用性を向上させる。【解決手段】リモートＧＵＩ機能を有する画像機器を使用して原稿画像をクライアント装置に転送する画像情報転送方法において、リモートＧＵＩ接続を行う工程（Ｓ１〜Ｓ７）と、リモートＧＵＩ接続が確立した後、前記画像機器に備えられた同時起動ライセンス数が１のアプリケーションを前記クライアント装置に転送し、インストールさせる工程（Ｓ８〜Ｓ１２）と、前記画像機器によって読み取った前記原稿の画像情報を前記クライアント装置に転送する工程（Ｓ２０〜Ｓ２３）と、前記リモートＧＵＩが切断されたとき、前記クライアント装置にインストールされた前記アプリケーションをアンインストールする工程（Ｓ３１〜Ｓ３６）とを含む。【選択図】図６
2007334444.tif 000002
【特許請求の範囲】
【請求項１】
クライアント装置と接続されて使用される画像機器において、
リモートＧＵＩ機能を実行する手段と、
同時起動ライセンス数が１のアプリケーションを保持する手段と、
リモートＧＵＩ機能を用いてリモート装置との通信を確立し、前記アプリケーションをリモート装置に自動でインストールする手段と、
通信が切断されたときに前記リモート装置にインストールされた前記アプリケーションを自動でアンインストールする手段と、
を備えていることを特徴とする画像機器。
【請求項２】
前記アプリケーションは機器内の画像処理機能を使用することを特徴とする請求項１記載の画像処理装置。
【請求項３】
画像を読み取る手段と、
前記リモートＧＵＩ機能を用いたユーザ操作によって前記アプリケーションへ前記画像を読み取る手段によって読み取られた画像を送信する手段と、
前記リモートＧＵＩ機能を通じて操作パネルに読み取られた画像を表示する手段と、
を備えていることを特徴とする請求項１記載の画像機器。
【請求項４】
前記アプリケーションによって処理された画像情報を可視画像として印字する手段を備えていることを特徴とする請求項１ないし３のいずれか１項に記載の画像機器。
【請求項５】
コンピュータにロードされ、リモートＧＵＩ機能を実行するコンピュータプログラムにおいて、
画像機器の操作パネルからの操作入力に基づいて前記画像機器に接続されたクライアント装置にリモートＧＵＩ接続を要求する第１の処理と、
前記クライアント装置から送信されるログイン画面に入力されたログイン情報を前記クライアント装置に送信する第２の処理と、
前記第２の処理の後にローカルストレージを公開する第３の処理と、
公開ストレージに接続し、前記クライアント装置に同時起動ライセンス数が１の公開アプリケーションのインストールが行われた後、スキャンアプリケーションの動作を開始させる第４の処理と、
前記クライアント装置がスキャンデータを取り込み、前記公開アプリケーションが終了した後、前記クライアント装置との接続の切断を要求する第５の処理と、
前記第５の処理後、前記公開アプリケーションをアンインストールし、クライアントストレージを切断したことが通知された後、ローカルストレージを非公開とする第６の処理と、
を含み、前記各処理をリモートＧＵＩアプリケーションで実行させることを特徴とするコンピュータプログラム。
【請求項６】
前記第２の処理に加え、前記画像機器のメーカ名及び機種名を前記クライアント装置に通知する第７の処理を含むことを特徴とする請求項５記載のコンピュータプログラム。
【請求項７】
リモートＧＵＩ機能を有する画像機器を使用して原稿画像をクライアント装置に転送する画像情報転送方法において、
リモートＧＵＩ接続を行う工程と、
リモートＧＵＩ接続が確立した後、前記画像機器に備えられた同時起動ライセンス数が１のアプリケーションを前記クライアント装置に転送し、インストールさせる工程と、
前記画像機器によって読み取った前記原稿の画像情報を前記クライアント装置に転送する工程と、
前記リモートＧＵＩが切断されたとき、前記クライアント装置にインストールされた前記アプリケーションをアンインストールする工程と、
を含むことを特徴とする画像情報転送方法。
【発明の詳細な説明】
【技術分野】
【０００１】
本発明は、リモートディスクトップ機能を有するコピー、プリンタ、ファクシミリ、デジタル複合機等の画像形成装置を含む画像機器、当該機器で使用されるコンピュータプログラム及び画像情報転送方法に関する。
【背景技術】
【０００２】
ウインドウズ（登録商標）の世界ではリモートディスクトップと呼ばれる機能が知られている。この機能は、遠隔地からのウインドウズ（登録商標）の操作を受け付ける機能である。この機能では、複数人のユーザが同時にターミナルサービスを使用することはできず、同時に接続できるのは１人に制限される。また、リモートディスクトップとローカル接続の同時利用もできない。
【０００３】
これはウインドウズ（登録商標）のライセンスから発生する制限で、同時に２人以上が１ライセンスのウインドウズ（登録商標）を使用できないようにしたものである。リモートディスクトップを使用する際には、ターミナルサービスと同様に専用のクライアントが必要となる。
【０００４】
なお、リモートディスクトップ機能に関連する発明として、例えば  特許文献１記載の発明が知られている。この発明は、リモートコンピューティングデバイスからコンピューティングデバイスに、該コンピューティングデバイスと前記リモートコンピューティングデバイスとの間でデータの交換を可能にするためのソフトウェアモジュールを提供するステップと、前記コンピューティングデバイスに、前記ソフトウェアモジュールを介して、前記リモートコンピューティングデバイスのオペレーティングシステムのエミュレーションを提供するステップと、前記コンピューティングデバイスに、前記ソフトウェアモジュールを介して、前記コンピューティングデバイスのディスクトップ構成のエミュレーションを提供し、前記ディスクトップ構成が、前記リモートコンピューティングデバイスから前記コンピューティングデバイスへ渡されるステップと、前記リモートコンピューティングデバイスの前記オペレーティングシステムによって前記コンピューティングデバイスでの動作を監視するステップと、前記コンピューティングデバイスでの前記動作に応答して、前記コンピューティングデバイスに提供された前記オペレーティングシステムの前記エミュレーションを更新するステップと、前記コンピューティングデバイスでの前記動作に応答して、前記コンピューティングデバイスに提供された前記ディスクトップ構成の前記エミュレーションを更新するステップとを備えたネットワークコンピューティング環境におけるコンピューティングサービス提供方法である。
【０００５】
また、関連する発明として特許文献２に記載された発明も知られている。
【特許文献１】特開２００２−３５１８２９号公報
【特許文献２】特開２００４−３４８４４０号公報
【発明の開示】
【発明が解決しようとする課題】
【０００６】
一方、ソフトウェアのライセンス管理を実施する場合、特定ネットワーク上の全ＰＣで、アプリケーションを共有できるライセンス形態であるフローティングライセンスを実施する場合には、ライセンスサーバを立て、そのサーバがソフトウェアの同時起動数を管理し、有効なライセンス数を超えたアプリケーションの立ち上げを禁止するが、フローティングライセンスでは、ライセンスサーバが常に起動していなければならない。フローティングライセンスとは、特定ネットワーク上の全ＰＣで、アプリケーションを共有できるライセンス形態で、通常ライセンスサーバと呼ばれるサーバが同時起動数を管理し、有効なライセンス数を超えたアプリケーションの立ち上げを禁止するというものである。
【０００７】
他方、多数のＰＣで一台のＭＦＰ（Multi Function Peripheral-デジタル複合機）を共有利用する場合には、そのＭＦＰを利用するためのアプリケーションについて、そのＭＦＰを利用する可能性の有る全てのＰＣに予めアプリケーションをインストールする必要があるが、ＰＣの台数が増加すると、その手間は非常に煩雑となり、この種の画像機器の使い勝手が悪いものとなる。このような使い勝手の悪さは、前記特許文献１記載の発明においても、また、特許文献２記載の発明においても解消することはできない。
【０００８】
そこで、本発明が解決すべき課題は、多数のＰＣで一台の画像機器を共有利用する場合に、当該画像機器のアプリケーションをインストールする手間を簡単にし、機器の使用性を向上させることにある。
【課題を解決するための手段】
【０００９】
前記課題を解決するため、第１の手段は、クライアント装置と接続されて使用される画像機器において、リモートＧＵＩ機能を実行する手段と、同時起動ライセンス数が１のアプリケーションを保持する手段と、リモートＧＵＩ機能を用いてリモート装置との通信を確立し、前記アプリケーションをリモート装置に自動でインストールする手段と、通信が切断されたときに前記リモート装置にインストールされた前記アプリケーションを自動でアンインストールする手段とを備えた画像機器を特徴とする。
【００１０】
第２の手段は、第１の手段において、前記アプリケーションは画像機器の画像処理機能を利用することを特徴とする。
【００１１】
第３の手段は、第１の手段において、画像を読み取る手段と、前記リモートＧＵＩ機能を用いたユーザ操作によって前記アプリケーションへ前記画像を読み取る手段によって読み取られた画像を送信する手段と、前記リモートＧＵＩ機能を通じて操作パネルに読み取られた画像を表示する手段とを備えていることを特徴とする。
【００１２】
第４の手段は、第１ないし第３のいずれかの手段において、前記アプリケーションによって処理された画像情報を可視画像として印字する手段を備えていることを特徴とする。
【００１３】
第５の手段は、コンピュータにロードされ、リモートＧＵＩ機能を実行するコンピュータプログラムにおいて、画像機器の操作パネルからの操作入力に基づいて前記画像機器に接続されたクライアント装置にリモートＧＵＩ接続を要求する第１の処理と、前記クライアント装置から送信されるログイン画面に入力されたログイン情報を前記クライアント装置に送信する第２の処理と、前記第２の処理の後にローカルストレージを公開する第３の処理と、公開ストレージに接続し、前記クライアント装置に同時起動ライセンス数が１の公開アプリケーションのインストールが行われた後、スキャンアプリケーションの動作を開始させる第４の処理と、前記クライアント装置がスキャンデータを取り込み、前記公開アプリケーションが終了した後、前記クライアント装置との接続の切断を要求する第５の処理と、前記第５の処理後、前記公開アプリケーションをアンインストールし、クライアントストレージを切断したことが通知された後、ローカルストレージを非公開とする第６の処理と、を含み、前記各処理をリモートＧＵＩアプリケーションで実行させることを特徴とする。
【００１４】
第６の手段は、第５の手段において、前記第２の処理に加え、前記画像機器のメーカ名及び機種名を前記クライアント装置に通知する第７の処理を含むことを特徴とする。
【００１５】
第７の手段は、リモートＧＵＩ機能を有する画像機器を使用して原稿画像をクライアント装置に転送する画像情報転送方法において、リモートＧＵＩ接続を行う第１の工程と、リモートＧＵＩ接続が確立した後、前記画像機器に備えられた同時起動ライセンス数が１のアプリケーションを前記クライアント装置に転送し、インストールさせる第２の工程と、前記画像機器によって読み取った前記原稿の画像情報を前記クライアント装置に転送する第３の工程と、前記リモートＧＵＩが切断されたとき、前記クライアント装置にインストールされた前記アプリケーションをアンインストールする第４の工程とを含むことを特徴とする。
【００１６】
なお、後述の実施形態では、クライアント装置はクライアントＰＣに、リモートＧＵＩ機能を実行する手段、同時起動ライセンス数が１のアプリケーションを保持する手段、リモートＧＵＩ機能を用いてリモート装置との通信を確立し、前記アプリケーションをリモート装置に自動でインストールする手段、通信が切断されたときに前記リモート装置にインストールされた前記アプリケーションを自動でアンインストールする手段はＵＩ／ストレージ／ネットワーク制御基板１０１に対応し、それぞれアプリケーション層１３０で実行される。また、画像処理機能はコピアアプリケーション１３１、プリンタアプリケーション１３２、ファックスアプリケーション１３３及びスキャナアプリケーション１３４に、表示する手段は表示パネル１０４にそれぞれ対応し、可視画像として印字する手段はプロッタ１０３ｂに対応する。
【００１７】
また、第１の処理はＳ２のシーケンスに、第２の処理はＳ６のシーケンスに、第３の処理はＳ８に、第４の処理はＳ９からＳ１７までのシーケンスに、第５の処理はＳ２７からＳ３２までのシーケンスに、第６の処理はＳ３３からステップＳ３６までのシーケンスに、第７の処理はＳ７のシーケンスに、それぞれ対応する。
【００１８】
さらに、第１の工程はＳ１からＳ７までのシーケンスに、第２の工程はＳ８からＳ１２までのシーケンスに、第３の工程はＳ２０からＳ２３までのシーケンスに、第４の工程はＳ３１からＳ３６までのシーケンスに、それぞれ対応する。
【発明の効果】
【００１９】
本発明によれば、リモートＧＵＩを実行し、同時起動ライセンス数が１のアプリケーションをリモート装置に自動でインストールし、通信が切断されたときにリモート装置にインストールされたアプリケーションを自動でアンインストールするので、多数のＰＣで一台の画像機器を共有利用する場合に、当該画像機器のアプリケーションをインストールする手間を簡単にし、機器の使用性を向上させることができる。
【発明を実施するための最良の形態】
【００２０】
以下、本発明の実施形態について図面を参照して説明する。
【００２１】
図１は本発明の実施形態に係る画像機器のハードウェア構成を示すブロック図である。この画像機器は、所謂ＭＦＰ１００からなる。ＭＦＰ１００は、ＵＩ（User Interface）／ストレージ／ネットワーク制御基板１０１を核として、スキャナ１０３ａ及びプロッタ１０３ｂ（画像処理機器１０３）を制御するためのプロッタ／スキャナ制御基板１０２、ストレージとしてのＨＤＤ（ハードディスク装置）１０５ａあるいはメモリカード１０５ｂ、ＧＵＩとしての操作パネル１０４、及び他装置との通信を可能にするためのネットワークＩ／Ｆ１０６がそれぞれ接続されている。このネットワークＩ／Ｆ１０６は図示しないクライアントＰＣ側の接続に使用される。
【００２２】
図２はＭＦＰ１００内のソフトウェア構成を示すブロック図である。ＭＦＰ１００内のソフトウェアは、ＯＳ層１１０、ミドルウェア層（ＧＷ機のサービス層）１２０及びアプリケーション層１３０の３階層で構成されている。アプリケーション層１１３には、コピーアプリケーション１３１、プリンタアプリケーション１３２、ファックスアプリケーション１３３、スキャナアプリケーション１３４、リモートＧＵＩアプリケーション１３４、ファイルサーバアプリケーション１３６などが含まれ、このアプリケーション層１３０によってリモートＧＵＩ機能やファイルサーバ機能が実行され、また、ＭＦＰ１００の基本機能である。コピー機能、プリンタ機能及びファックス機能も実現される。したがって、このＭＦＰでは、スキャナ機能などのＭＦＰのための機能とリモートＧＵＩ機能は同一層で動作することになる。なお、これらのソフトウェアはＵＩ（User Interface）／ストレージ／ネットワーク制御基板１０１上にソフトウェアとして実装される。
【００２３】
図３は操作パネル１０４の正面図である。操作パネル１０４のほぼ中央部にはタッチパネル機能を有する表示部１０４ａが設けられている。図３（ａ）はリモートＧＵＩ起動時の表示部１０４ａの表示状態を示す図で、「リモートディスクトップ接続」画面が表示されている。この状態から「接続」を選択すると、図３（ｂ）のログイン画面に変わり、パスワードを入力すると、図３（ｃ）のディスクトップ画面になる。
【００２４】
図４はアプリケーションの自動インストール機能を説明するための説明図で、クライアント側のディスクトップ画面の表示状態を示す。同図（ａ）はリモートＧＵＩ接続前のクライアントＰＣのディスクトップの状態を示し、同図（ｂ）はリモートＧＵＩ接続中のディスクトップの状態を示す。すなわち、同図（ａ）のリモートＧＵＩ接続前の状態から、リモートＧＵＩを接続すると、同図（ｂ）の状態となり、リモートＧＵＩ接続中のみ特定のアプリケーション（ここでは、Application2）がディスクトップに表れる。このリモートＧＵＩ接続中のみディスクトップに表れる特定のアプリケーションは、リモートＧＵＩ接続時に自動的にクライアントＰＣにインストールされ、リモートＧＵＩ接続を切断した次元で自動的にアンインストールされる。これによりディスクトップは図４（ａ）の状態に戻る。このように自動でインストールされるアプリケーションを公開アプリケーションと称す。
【００２５】
なお、設定によっては、自動アンインストールが行われないように設定することもできる。例えば、ライセンスフリーのアプリケーションなどでは、アプリケーション配布の手段として利用することも可能である。このように設定すると、対象ＭＦＰを初めてリモートＧＵＩ接続した場合に、アプリケーションがインストールされるという点から、多数のＰＣで一台のＭＦＰを共有利用する場合に、そのＭＦＰを利用するためのアプリケーションについて、そのＭＦＰを利用する可能性の有る全てのＰＣに予めアプリケーションをインストールする必要があるが、ＰＣの台数が増加しても、その手間が煩雑になることはない。
【００２６】
図５はリモートＧＵＩの使用例を示す説明図である。図５は、手元の原稿をある特殊な暗号化を施したファイル形式に電子化したい。しかし、そのアプリケーションは高価なのでＭＦＰ１台に１ライセンスしか用意されていないという場合の例である。なお、クライアントＰＣとＭＦＰはＬＡＮなどのネットワークＮＴ（図７、図８参照）を介して接続されているものとする、
同図において、１で原稿を持ってＭＦＰに向かう。２で原稿をＭＦＰ１００のスキャナ１０３ａにセットする。３でユーザはＭＦＰ１０の操作パネル１０４の表示部１０４ａからリモートＧＵＩ接続操作を行う。すなわち、図３（ａ）、（ｂ）の各図に沿った操作を実行する。これによりリモートＧＵＩの接続が確立され、図３（ｃ）の表示画面から使用するアプリケーションを選択すると、４に示すようにアプリケーションが自動的にインストールされる。そこで、５でユーザが前記特殊な暗号化を施すアプリケーションでＭＦＰ１００のスキャナ１０３ａから原稿を読み取らせ、スキャンデータをクライアントＰＣに転送する。スキャンデータの転送が終了すると、６に示すようにユーザがＭＦＰ１００の操作パネル１０４からリモートＧＵＩを切断する。これにより前記アプリケーションが自動でアンインストールされる。なお、ラインセンスフリーであれば、アンインストールされない。このようにしてＭＦＰ１００での操作が終わり、７に示すようにユーザがクライアントＰＣまで戻ると、ＭＦＰ１００で読み取ったスキャンデータがクライアントＰＣに保存されていることになる。
【００２７】
図６はこのときのスキャナアプリケーション１３４、操作パネル１０４、リモートＧＵＩアプリケーション１３５及びクライアントＰＣ間の処理のシーケンスを示す図である。同図において、まず、操作パネル１０４からリモートＧＵＩを起動すると（Ｓ１−図３（ａ））、リモートＧＵＩアプリケーション１３５からクライアントＰＣにリモートＧＵＩ接続要求が発行される（Ｓ２）。この接続要求に基づいてクライアントＰＣからリモートＧＵＩアプリケーション１３５に画面表示データ（ログイン画面）が送信され（Ｓ３）、リモートＧＵＩアプリケーション１３５は操作パネル１０４に描画要求を発行する（Ｓ４）。操作パネル１０４は図３（ｂ）の画面を表示し、当該画面からユーザＩＤ及びパスワードがＭＦＰ１００から入力されると（Ｓ５）、リモートＧＵＩアプリケーション１３５はクライアントＰＣに入力されたユーザＩＤとパスワードを送信する（Ｓ６）。同時にＭＦＰ１００のメーカ名、機種名を通知し（Ｓ７）、さらに、ローカルストレージを公開する（Ｓ８）。
【００２８】
公開されたローカルストレージは、公開ストレージ情報としてクライアントＰＣに送信され（Ｓ９）、また、公開アプリケーション情報もクライアントＰＣに送信される（Ｓ１０）。クライアントＰＣでは、公開ストレージに接続し（Ｓ１１）、公開アプリケーションをインストールする（Ｓ１２）。インストールが終了すると、クライアントＰＣは画面表示データ（デスクトップ画面）をリモートＧＵＩアプリケーション１３５に送信し（Ｓ１３）、リモートＧＵＩアプリケーション１３５は操作パネル１０４に描画要求を発行する（Ｓ１４）。操作パネル１０４からアプリケーションの起動操作を行うと（Ｓ１５）、リモートＧＵＩアプリケーション１３５はその旨クライアントＰＣに送信する（Ｓ１６）。これにより公開アプリケーションが起動され（Ｓ１７）、アプリケーションの画面情報がクライアントＰＣからリモートＰＣアプリケーション１３５に送信される（Ｓ１８）。
【００２９】
リモートＧＵＩアプリケーション１３５は操作パネル１０４に前記画面情報の描画要求を発行し（Ｓ１９）、操作パネル１０４に前記画面情報が表示される（Ｓ２０）。その表示画面に基づいてキーボードあるいはマウスによってスキャン開始をリモートＧＵＩアプリケーション１３５からクライアントＰＣに指示する（Ｓ２１）。クライアントＰＣでは、前記指示を受けてスキャナアプリケーション１３４にスキャン開始要求を発行し（Ｓ２２）、スキャナアプリケーション１３４から読み取ったスキャンデータをクライアントＰＣに送信する（Ｓ２３）。クライアントＰＣでは、リモートＧＵＩアプリケーション１３５に転送されてきたスキャンデータのスキャン結果を示す画面表示データを送信し（Ｓ２４）、リモートＧＵＩアプリケーション１３５は操作パネル１０４に描画要求を発行する（Ｓ２５）。
【００３０】
操作パネル１０４からキーボードあるいはマウスによってアプリケーション終了が入力されると（Ｓ２６）、リモートＧＵＩアプリケーション１３５はその旨クライアントＰＣに通知し（Ｓ２７）、クライアントＰＣでは、アプリケーション終了処理を実行した（Ｓ２８）後、その旨リモートＧＵＩアプリケーション１３５に通知する（Ｓ２９）。リモートＧＵＩアプリケーション１３５は、終了画面の描画を指示し（Ｓ３０）、その画面から公開アプリケーション終了が入力されると（Ｓ３１）、リモートディスクトップ切断要求をクライアントＰＣに送信し（Ｓ３２）、クライアントＰＣでは、公開アプリケーションのアンインストールを実行し（Ｓ３３）、クライアントストレージを切断し（Ｓ３４）、切断が完了するとその旨リモートＧＵＩアプリケーション１３５に通知する（Ｓ３５）。この通知にもとづいてリモートＧＵＩアプリケーション１３５はローカルストレージを非公開とする（Ｓ３６）。
【００３１】
このときのデータの流れを図７及び図８に示す。図７はリモートＧＵＩ接続時のデータの流れを示す図で、図８はスキャナアプリケーション１３４実行時のデータの流れを示す図である。  
これらの図において、ＵＩ（User Interface）／ストレージ／ネットワーク制御基板１０１は、ネットワークＩ／Ｆ１０６及びネットワークＮＴを介してクライアントＰＣと接続され、また、操作パネル１０４に対して表示データを送るとともに、操作パネル１０４からの操作入力を受信する。クライアントＰＣはＯＳ層１１０及びミドルウェア層１２０を介し、かつ、ソフトウェア層１３０のリモートディスクトップアプリケーション１３５及びファイルサーバアプリケーション１３６を通じて操作パネル１０４との間で情報の送受信が行われる。リモートＧＵＩ接続時には、図７に示すようにクライアントＰＣからリモートディスクトップアプリケーション１３５にシーケンスＳ７，Ｓ９，Ｓ１０の処理のためのデータが転送され、リモートディスクトップアプリケーション１３５からファイルサーバアプリケーション１３６にシーケンスＳ８の情報が転送され、クライアントＰＣとファイルサーバアプリケーション１３６間ではシーケンスＳ１１及びＳ１２の情報が転送される。
【００３２】
一方、スキャナアプリケーション実行時には、操作パネル１０４からリモートディスクトップアプリケーション１３５へシーケンスＳ２０の情報が転送され、リモートディスクトップアプリケーション１３５からクライアントＰＣにシーケンスＳ２１の情報が転送される。更に、クライアントＰＣからスキャナアプリケーション１３４に、シーケンス２２のスキャン開始要求が発行され、スキャナアプリケーション１３４からシーケンス２３でスキャンデータが転送される。
【００３３】
以上のように本実施形態によれば、次のような効果を奏する。すなわち、通常、ＭＦＰのパネル操作を同時に実施するユーザは物理的な制約から高々１人である。そのため、／ＭＦＰのパネルからのリモートＧＵＩ接続の同時接続数は「１」とする実装で必要十分であると考えられる。このような実装の場合、同時起動ライセンス数が「１」のアプリケーションを、リモートＧＵＩ接続時に接続先ＰＣへインストールし、リモートＧＵＩ切断時に接続先ＰＣからアンインストールするという実装とした場合、前記のように、１台のＭＦＰからのリモートＧＵＩ接続の同時接続数は「１」という理由から、そのＭＦＰを利用しているユーザのみが同時に前記アプリケーションを利用できるという運用が可能となる。したがって、同時利用ライセンス数制限に違反せずに大勢のユーザが（ＭＦＰ経由でリモートＧＵＩ接続している間）そのアプリケーションを利用できるという運用が実現できる。ここで想定しているアプリケーションは、ＭＦＰの機能（プロッタ／スキャナ／ファクス等）を用いる様なものを想定している。
【００３４】
一方、切断時にアプリケーションを自動アンインストールしない構成の場合、すなわち、ライセンスフリーのアプリケーションの場合には、必ずしも切断時にアンインストールする必要はない。したがって、運用上アンインストールが必要ない場合には、インストールしたままでよいことは言うまでもない。
【図面の簡単な説明】
【００３５】
【図１】本発明の実施形態に係る画像機器のハードウェア構成を示すブロック図である。
【図２】ＭＦＰ内のソフトウェア構成を示すブロック図である。
【図３】リモートＧＵＩ起動時、ログイン画面表示時、接続完了後の操作パネルの表示状態を示す図である。
【図４】アプリケーションの自動インストール機能を説明するための説明図である。
【図５】リモートＧＵＩの使用例を示す説明図である。
【図６】リモートＧＵＩ機能を使用してアプリケーションを自動インストールし、アンインストールする処理手順を示すシーケンス図である。
【図７】リモートＧＵＩ接続時のデータの流れを示す説明図である。
【図８】スキャナアプリケーション実行時のデータの流れを示す説明図である。
【符号の説明】
【００３６】
１００  ＭＦＰ
１０１  ＵＩ／ストレージ／ネットワーク制御基板
１０２  プロッタ／スキャナ制御基板
１０３  画像処理機器
１０３ａ  スキャナ
１０３ｂ  プロッタ
１０４  操作パネル
１０５  ストレージ
１１０  ＯＳ層
１２０  ミドルウェア層
１３０  アプリケーション層
１３１  コピーアプリケーション
１３２  プリンタアプリケーション
１３３  ファックスアプリケーション
１３４  スキャナアプリケーション
１３５  リモートＧＵＩアプリケーション
１３６  ファイルサーバアプリケーション
ＰＣ  クライアント装置
【図１】
2007334444.tif 000003
【図２】
2007334444.tif 000004
【図３】
2007334444.tif 000005
【図４】
2007334444.tif 000006
【図５】
2007334444.tif 000007
【図６】
2007334444.tif 000008
【図７】
2007334444.tif 000009
【図８】
2007334444.tif 000010